(57)【要約】      （修正有）【課題】フックの向きをよりスムーズに微調整できるようにした結束工具を提供する。【解決手段】フック６の内側面６ａのグリップ４から突出した部分の近傍に、具体的には、グリップ４を握った手の人指し指を受ける位置に回転制御用のこぶ１０を形成する。フック６の内側面には、グリップ４を握った手の人指し指を受ける回転制御用のこぶ１０を形成したので、人指し指によりフック６の向きの微調整をする際に、その回転制御用のこぶ１０のある分、人指し指とフック６との接触面積が増え、人指し指からフック６への力の伝達がし易くなり、延いては、フック６の向きをよりスムーズに微調整できる。【選択図】図１
0003155339.tif 000002
【実用新案登録請求の範囲】
【請求項１】
筒状のグリップに、断面形状が矩形状であって先端が鈎状に曲げられたフックと一体又は一体的に取り付けられたシャフトを回転自在に取り付けた結束工具において、
上記フックの上記先端の鈎状に曲げられた側の面の上記グリップを握る手の人指し指を受ける位置に、回転制御用のこぶを形成した
ことを特徴とする結束工具。
【考案の詳細な説明】
【技術分野】
【０００１】
本考案は、筒状のグリップに、フックと一体又は一体的に取り付けられたシャフトを、回転自在に取り付けた結束工具に関する。
【背景技術】
【０００２】
鉄筋コンクリートによる建築は、例えば互いに交差する鉄筋どうしを針金により結束する作業が不可欠であり、その作業は、大まかに説明すれば、先ず、結束すべき鉄筋に針金を添え、その後、結束工具のフックをその針金に引掛け、グリップを持ってぐるぐるまわすことによりその引掛けた部分をねじって強く結束するという方法で行われる。
【０００３】
その結束に用いる結束工具（「ハッカー」とも呼ばれる）は、通常のものはグリップに、先端が針金に引掛けられるように鈎状に曲げられたフックと一体乃至一体的に取り付けられてシャフトを、回転自在に内嵌状に取り付けたものであり、特許第３１７０５３６号公報により紹介されたもののように、ベアリングにより回転自在に取り付けたものと、ベアリングを用いないものとがある。ベアリングを設けるのは、結束作業をスムーズに行うことができるようにするために、シャフトの回転をよりスムーズにしてそのシャフトと一体のフックの回転をよりスムーズにするためである。
【０００４】
そして、従来の結束工具は、フックの厚み［本願明細書においてフックの厚みとは、フックの各断面におけるそのフックの先端が鈎状に曲がった側の側面（：内側面）からそれとは反対側の面（：外側面）に至る長さ］が先端部から基部（グリップ側の部分）に至る迄徐々に厚くなるようにされている。
従って、グリップを握った手の人指し指と親指（主として人指し指）によりフックを基部にて把持し、そのフックの向きを調整することはできる。
しかし、フックの上記内側面或いは外側面には突起、こぶの類が一切設けられていなかった。
【先行技術文献】
【特許文献】
【０００５】
【特許文献１】特許第３１７０５３６号公報
【考案の開示】
【考案が解決しようとする課題】
【０００６】
ところで、結束作業をスムーズに行うために結束工具には、フックが軽やかにスムーズに回転できることが必要であること当然であるが、更に、フックの向きを容易に微調整できることが必要である。
というのは、一つのビルディングの建築、建設に必要な結束箇所は数千、何万、数十万に及び、一人の作業員に一日当たり課される結束数は非常に多くなり、結束１回に要する時間や疲労が少なくても、一日あたり課された多数の結束に要する時間や疲労は無視できないものとなり、一回一回の結束をほんの少しでもスムーズにすることが必要だからである。
【０００７】
しかし、従来の結束工具においては、前述の通り、フックは先端部から基部（グリップ側の部分）に至る迄徐々に厚くなるようにされているに過ぎず、微調整に主たる働きをする人指し指のフックと当たる部分の面積が狭く、人指し指からフックにその向きを微調整する力が有効に作用しにくく、微調整が必ずしも容易であるとは言えなかった。
従って、結束に要する時間をより短縮して建築、建設作業の効率を高めるという要請に応えることが難しかった。
【０００８】
本考案は、このような問題を解決すべく為されたものであり、フックの向きをよりスムーズに微調整できるようにした新規な結束工具を提供することを目的とする。
【課題を解決するための手段】
【０００９】
本考案結束工具は、筒状のグリップに、断面形状が矩形状であって先端が鈎状に曲げられたフックと一体又は一体的に取り付けられたシャフトを回転自在に取り付けた結束工具において、上記フックの上記先端の鈎状に曲げられた側の面の上記グリップを握る手の人指し指を受ける位置に、回転制御用のこぶを形成したことを特徴とする。
【考案の効果】
【００１０】
本考案結束工具によれば、フックの上記先端の鈎状に曲げられた側の面の上記グリップを握る手の人指し指を受ける位置に回転制御用のこぶを形成したので、人指し指によりフックの向きの微調整をする際に、その回転制御用のこぶのある分、人指し指とフックとの接触面積が増え、人指し指からフックへの力の伝達がし易くなり、延いては、フックの向きをよりスムーズに微調整できる。
特に、作業環境等により、腕を伸ばして作業するような場合、フックの向きの微調整はやりにくいが、回転制御用のこぶがあると人指し指の力をフックにより有効に加えることができるので、より作業性を高めやすい。
【図面の簡単な説明】
【００１１】
【図１】（Ａ）、（Ｂ）は本考案結束工具の第１の実施例を示すもので、（Ａ）は側面図、（Ｂ）は（Ａ）のＢ−Ｂ線視断面図、（Ｃ）は（Ａ）のＣ−Ｃ線視断面図である。
【図２】上記第１の実施例の使用状態を示す斜視図である。
【考案を実施するための形態】
【００１２】
本考案は、基本的に、フックのグリップから突出した部分の近傍において、内側面に人指し指を受ける回転制御用のこぶを形成したものであり、このこぶは、人指し指を受けて人指し指からの力を有効に受け得る形状、例えば半円形又は台形が望ましい。
こぶの厚みは基部と頂部（先端部）と同じであっても良いが、基部よりも頂部が薄くても良く、その場合、厚さが急激に変化するのではなく図１（Ｂ）に示すように基部から頂部側に徐々に厚くなる部分があるようにすると良好である。
また、回転制御用のこぶはフックに一体に形成しても良く、また、フックとは別体に形成し、接着、着脱不能又は着脱可能にフックに取り付けるようにしても良い。
【００１３】
本考案は、特許第３１７０５３６号公報により紹介されたもののように、ベアリングにより回転自在に取り付けたタイプのものにも、ベアリングを用いないタイプのものにも適用することができる。
【実施例１】
【００１４】
以下、本考案の詳細を図示実施例に基いて説明する。
図１（Ａ）は本考案結束工具の第１の実施例（：実施例１）を示す側面図、（Ｂ）は（Ａ）のＢ−Ｂ線視断面図、（Ｃ）は（Ａ）のＣ−Ｃ線視断面図、図２は使用状態を示す斜視図である。
図面において、２は結束工具、４は結束工具２の筒状のグリップ（握り）、６はフックで、グリップ４に内嵌され図面に現れないシャフトと一体又は一体的に連結されている。  ８はそのフック６の鈎状に形成された先端部である。
【００１５】
尚、グリップ４のシャフト等を有する内部構造には本考案の本質がなく、グリップ４がシャフト及びフック６に対して回転自在であれば良く、例えば特許第３１７０５３６号公報に記載された結束工具と同じようにベアリングを有していても良く、また、ベアリングを有しないタイプのものであっても良い。尚、本願の願書に添付した図面図１、図２に現れないシャフトは、特許第３１７０５３６号公報に記載された結束工具のシャフト１８に相当する。
【００１６】
１０はフック６の内側面、即ち、鈎状の先端８が向く側の側面６ａに形成された回転制御用のこぶで、フック６のグリップ４から突出した部分近傍、具体的にはグリップ４を握った手の人指し指を受ける位置に一体に設けられている。
このような結束工具２によれば、人指し指を受ける回転制御用のこぶ１０を有するので、人指し指によりフック６の向きの微調整をする際に、その回転制御用のこぶ１０のある分、人指し指とフック６との接触面積が増え、人指し指からフックへの力の伝達がし易くなり、延いては、フックの向きをよりスムーズに微調整できる。
従って、フック６の向きを制御するのに、人指し指と親指とによりフック６で挟む必要がなく、人指し指をその回転制御用のこぶ１０に当てるだけでフック６の向きを制御することができ、延いては、結束作業効率を高めることができる。
【産業上の利用可能性】
【００１７】
本考案は、筒状のグリップに、フックと一体又は一体的に取り付けられたシャフトを、回転自在に取り付けた結束工具に産業上の利用可能性があり、ベアリングを用いたタイプのものにも、用いないものにも利用可能性がある。
【符号の説明】
【００１８】
２・・・結束工具、４・・・グリップ、６・・・フック、
６ａ・・・フック６の内側面、８・・・フック６の先端、
１０・・・回転制御用のこぶ。
【図１】
0003155339.tif 000003
【図２】
0003155339.tif 000004